(57)【要約】【課題】使用者の使用目的によって香料収納容器５か消しゴム１３を任意に選択して押部材４に装着可能なノック式シャープペンシルを提供する。【解決手段】押部材４を前進させることによって芯タンク３及びチャック２を前進させて芯１を繰り出すノック式シャープペンシルにおいて、前記押部材４に、香料収納容器５を保持するための容器保持部と、消しゴム１３を保持するための消しゴム保持部４Ｆを形成する。更に、押部材４を耐香料性及び耐薬品性の樹脂により構成する。【選択図】　　　　　図１
2004098491.tif 000002
【特許請求の範囲】
【請求項１】
押部材を前進させることにより芯タンク及びチャックを前進して芯を繰り出すノック式シャープペンシルにおいて、押部材に、香料収納容器を保持するための容器保持部と、消しゴムを保持するための消しゴム保持部を形成し、使用者の使用目的によって香料収納容器か消しゴムを任意に選択して押部材に装着できることを特徴とするノック式シャープペンシル。
【請求項２】
押部材を耐香料性及び耐薬品性の樹脂により構成したことを特徴とする請求項１記載のノック式シャープペンシル。
【請求項３】
押部材の内面に、芯が通過可能な貫通孔を有する内鍔と、内鍔より後方に香料収納容器が装着可能な収納室と、収納室より太径の消しゴム保持部を形成し、更に前記収納室の内面に香料収納容器を保持するための突部からなる容器保持部を形成したことを特徴とする請求項１又は２記載のノック式シャープペンシル。
【発明の詳細な説明】
【０００１】
【発明の属する技術分野】
本発明は、押部材に香料収納容器と消しゴムのいずれかを装着可能なノック式シャープペンシルに関するものである。
【０００２】
【従来の技術】
従来のノック式シャープペンシルは、芯タンクあるいは芯タンクを押圧する押部材に消しゴムが装着されていた。
また、芯収納管（芯タンク）に芳香剤収納容器を挿脱自在に支持したシャープペンシルが知られている。（例えば、特許文献１参照。）
【０００３】
【特許文献１】
特開２００２−１５４２９８号公報
【０００４】
【発明が解決しようとする課題】
しかし、上記した従来のノック式シャープペンシルは、消しゴムを外して香料収納容器を装着したり、香料収納容器を外して消しゴムを装着することはできず、使用目的が限定されてしまうものであった。
【０００５】
本発明は、上記課題を解消するノック式シャープペンシルを提供することを目的とするものである。
【０００６】
【課題を解決するための手段】
本発明は、押部材を前進させることにより芯タンク及びチャックを前進して芯を繰り出すノック式シャープペンシルにおいて、押部材に、香料収納容器を保持するための容器保持部と、消しゴムを保持するための消しゴム保持部を形成し、使用者の使用目的によって香料収納容器か消しゴムを任意に選択して押部材に装着できることを第一の要旨とする。
【０００７】
また、押部材を耐香料性及び耐薬品性の樹脂により構成したことを第二の要旨とする。
【０００８】
更に、押部材の内面に、芯が通過可能な貫通孔を有する内鍔と、内鍔より後方に香料収納容器が装着可能な収納室と、収納室より太径の消しゴム保持部を形成し、更に前記収納室の内面に香料収納容器を保持するための複数の突部からなる容器保持部を形成したことを第三の要旨とする。
【０００９】
【実施例】
以下、図１に基づいて本発明のノック式シャープペンシルにおける第１実施例を説明する。芯１を繰り出すためのチャック２の後部に合成樹脂パイプ製の芯タンク３を連結し、この芯タンク３内に予備の芯１を収納する。更に芯タンク３の後部に図２に示した押部材４の前部孔４Ａを嵌合し、押部材４の内鍔４Ｂに芯タンク３の後端を当接する。この押部材４の内鍔４Ｂに芯１が通過可能な貫通孔４Ｃを形成する。更に押部材４の内鍔４Ｂより後方に香料収納容器５を装着するための収納室４Ｄを形成し、この収納室４Ｄに容器保持部を形成する。この容器保持部は、収納室４Ｄの内面に長手方向に伸びた複数の突部４Ｅを周方向に等間隔に形成する。更に押部材４の後端部には収納室４Ｄより太径の消しゴム保持部４Ｆを形成する。
【００１０】
図３に示した香料収納容器５は、有底状の筒体からなり、可撓性を有するポリエチレン等の合成樹脂から構成される。この香料収納容器５内に、液体の香料６を密閉して収納したガラスのカプセル７が収納され、更に前記カプセル７を支持するフェルト部材８が具備される。尚、この状態では香料６は発散しない構造となっている。また、香料収納容器５の開口部に前記フェルト部材８を係止するための内段５Ａを形成する。
【００１１】
この香料収納容器５を前記押部材４の収納室４Ｄに底部側から挿入し、香料収納容器５を前記押部材４の突部４Ｅにより保持する。
【００１２】
チャック２及び芯タンク３を内蔵する軸筒９の後部にはクリップ１０を有する頭冠１１が取り付けられ、この頭冠１１の後端より押部材４が適宜突出するとともに、押部材４の後端より香料収納容器５が適宜突出する。
【００１３】
更に押部材４の後部外側に香料収納容器５を覆うノブ１２が着脱可能に嵌合される。このノブ１２の天部には開口孔１２Ａが形成され、香料６の香りが外に発散可能な構造となっている。
【００１４】
次に香料収納容器５内の香料６を発散させるには、先ず、押部材４より香料収納容器５を取り出し、折り曲げる。するとガラスのカプセル７が破れて香料６がフェルト部材８に含浸される。この状態で香料収納容器５を再び押部材４の収納室４Ｄ内に装着する。するとフェルト部材８に含浸された香料６がノブ１２の開口孔１２Ａより外に発散され、ノック式シャープペンシルを使用したり携帯している時に香料６の香りを嗅ぐことができる。
【００１５】
また、芯タンク３内に予備の芯１を補充する場合には、押部材４からノブ１２及び香料収納容器５を外し、押部材４の内鍔４Ｂに形成された貫通孔４Ｃを通って予備の芯１が芯タンク３内に収納される。
【００１６】
更にまた、図４に示したように消しゴム１３を使用したい場合には、押部材４より香料収納容器５を外し、押部材４の消しゴム保持部４Ｆに消しゴム１３を装着する。この場合も消しゴム１３を覆うために押部材４の後部外側にノブ１２を嵌合する。
【００１７】
図５は本発明の第２の実施例を示したもので、重り１４の慣性力により芯タンク１０３及びチャック１０２を前進させて芯１を繰り出したり、押部材１０４を押すことにより芯タンク１０３及びチャック１０２を前進させて芯１を繰り出すノック式シャープペンシルの軸筒１０９の後部に、着脱可能に後軸１５を螺合する。この後軸１５には押部材１０４が摺動可能に内蔵され、後軸１５の内面に固着された駒１６と押部材１０４の間にスプリング１７を張架する。軸筒１０９内にはチャック１０２が内蔵され、チャック１０２の後部に外鍔１８Ａを有するコネクター１８が連結される。このコネクター１８に芯タンク１０３が連結される。また、コネクター１８の外鍔１８Ａと押部材１０４の前面との間に重り１４が遊嵌され、この重り１４は円筒状で内孔１４Ａに芯タンク１０３が挿通される。芯タンク１０３の後部は押部材１０４の前部孔１０４Ａ内に挿入されるが、芯タンク１０３の後端と押部材１０４の内鍔１０４Ｂとは適宜離間している。この押部材１０４の内鍔１０４Ｂには芯１が通過可能な貫通孔１０４Ｃが形成される。
【００１８】
この押部材１０４の内鍔１０４Ｂより後方に香料収納容器５を装着するための収納室１０４Ｄが形成され、この収納室１０４Ｄに長手方向に伸びた複数の突部を周方向に等間隔に形成する。更に押部材１０４の後端部には収納室１０４Ｄより太径の消しゴム保持部１０４Ｆを形成する。この押部材１０４の収納室１０４Ｄに香料収納容器５を挿入し、香料収納容器５を複数の突部により保持する。また、後軸１５の後端より押部材１０４が適宜突出するとともに、押部材１０４の後端より香料収納容器５が適宜突出する。更に押部材１０４の後部外側に香料収納容器５を覆うノブ１１２が着脱可能に嵌合される。
【００１９】
この第２の実施例においても、香料収納容器５を外せば、押部材１０４の消しゴム保持部１０４Ｆに消しゴムを装着することができる。
【００２０】
尚、本発明に用いられる香料収納容器としては、従来知られている種々のものが利用可能であるが、ガラスのカプセルに密閉され、使用するときにカプセルを破って香料をフェルト部材に含浸させる香料収納容器を用いれば、使用前までは香料の消耗が全くなく、また、香料が外に滲み出てくる心配がないとともに、容器が小型でしかも消しゴムと類似した形状となるので、押部材も複雑な形状にならず、ほぼ同じ空間内に香料収納容器と消しゴムのいずれかを収納でき、取り扱いが簡単で構造も複雑にならず非常に好ましい。
【００２１】
また、香料は樹脂を侵食したり劣化させる性質を持っているので、押部材はポリプロピレン、フッ素樹脂、ポリエチレンやポリアセタール等の耐香料性及び耐薬品性の樹脂により構成する。
【００２２】
更にまた、押部材の容器保持部に形成される突部は、断面円形の収納室の一部を非円形に構成することも可能である。
【００２３】
【発明の効果】
以上説明した本発明のノック式シャープペンシルは、押部材に容器保持部と消しゴム保持部が形成されているので、使用者の目的に合わせて香料収納容器か消しゴムのいずれかを選択して装着することができる。しかも、ノック式シャープペンシルの構成も複雑にならず、香料収納容器と消しゴムの取り換えも簡単に行うことができるので非常に使い易いノック式シャープペンシルを提供することができる。
【図面の簡単な説明】
【図１】本発明のノック式シャープペンシルにおける第１実施例を示す断面図である。
【図２】第１実施例の押部材を示す拡大断面図である。
【図３】本発明の香料収納容器を示す拡大断面図である。
【図４】第１実施例のノック式シャープペンシルにおいて、消しゴムを装着した状態を示す主要部断面図である。
【図５】本発明の第２実施例のノック式シャープペンシルを示す断面図である。
【符号の説明】
１　芯
２　チャック
３　芯タンク
４　押部材
４Ｂ　押部材４の内鍔
４Ｃ　押部材４の貫通孔
４Ｄ　押部材４の収納室
４Ｅ　押部材４の突部
４Ｆ　押部材４の消しゴム保持部
５　香料収納容器
１３　消しゴム
１０２　チャック
１０３　芯タンク
１０４　押部材
１０４Ｂ　押部材１０４の内鍔
１０４Ｃ　押部材１０４の貫通孔
１０４Ｄ　押部材１０４の収納室
１０４Ｆ　押部材１０４の消しゴム保持部
【図１】
2004098491.tif 000003
【図２】
2004098491.tif 000004
【図３】
2004098491.tif 000005
【図４】
2004098491.tif 000006
【図５】
2004098491.tif 000007